(57)【要約】【課題】簡易な構成で、訴求力の高い広告を行える自動販売機を提案する。【解決手段】商品を収納している装置本体１０ａに、少なくとも側面１０ＳＲが形成してある自動販売機１０であって、前記側面１０ＳＲには、外付けされる商品広告用の広告提示部材３０を支持する支持構造２０が設けてある。支持構造２０は、側面１０ＳＲ上に前記装置本体の高さ方向ＨＤに沿って設置されている長尺のベース部材２１と、該ベース部材２１に沿って移動可能であると共に、前記広告提示部材３０の端部と嵌合する支持部材２５（２５−１〜２５−３）とを含む構造とするのが好ましい。【選択図】図２
2014021699.tif 000002
【特許請求の範囲】
【請求項１】
商品を収納している装置本体に、少なくとも側面が形成してある自動販売機であって、
前記側面には、外付けされる商品広告用の広告提示部材を支持する支持構造が設けてある、ことを特徴とする自動販売機。
【請求項２】
前記支持構造は、前記側面上に前記装置本体の高さ方向に沿って設置されている長尺のベース部材と、該ベース部材に沿って移動可能であると共に、前記広告提示部材の端部と嵌合する支持部材とを含む、ことを特徴とする請求項１に記載の自動販売機。
【請求項３】
前記支持部材を、前記ベース部材の任意位置で止めるための位置決め手段が更に設けてある、ことを特徴とする請求項２に記載の自動販売機
【請求項４】
前記広告提示部材は板状の広告パネルを含み、前記広告パネルの一端側が前記支持部材にて支持され、該広告パネルは前記側面から外側へ展開した姿勢とされて設置されている、ことを特徴とする請求項２または３に記載の自動販売機。
【請求項５】
前記広告パネルの１枚と嵌合する基本単位の前記支持部材と該支持部材を移動可能に支える基本単位の前記ベース部材とによる、前記支持構造の基本単位構成が、前記装置本体の厚み方向において複数に配置されると共に、前記広告パネルを複数有しており、
前記厚み方向で、前記広告パネルを多層状態として提示可能である、ことを特徴とする請求項４に記載の自動販売機。
【請求項６】
前記基本単位の前記ベース部材を複数連ねて一体化してあると共に、前記ベース部材に応じて、前記基本単位の前記支持部材も複数連ねて一体化された構造を含む、ことを特徴とする請求項５に記載の自動販売機。
【請求項７】
前記ベース部材の１つに、複数の前記支持部材がセットされており、前記支持部材が複数箇所で前記広告パネルを支持するように構成してある、ことを特徴とする請求項５または６に記載の自動販売機。
【請求項８】
前記複数の広告パネルは、前記装置本体の厚み方向で手前側から奥側に向かうほど、面積が大きく形成してある、ことを特徴とする請求項５から７のいずれかに記載の自動販売機。
【請求項９】
前記複数の広告パネルの内でその一部に、奥側に位置する広告パネルをユーザが視覚認識可能となるように切欠部が設けてある、ことを特徴とする請求項５から７のいずれかに記載の自動販売機。
【請求項１０】
前記複数の広告パネルは、正面視で互いに重ならないように位置をずらして配置してある、ことを特徴とする請求項５から７のいずれかに記載の自動販売機。
【請求項１１】
前記広告提示部材は、内部に空間を含んでトンネル形状とした立体型広告パネルを含み、前記立体型広告パネルの両脚部が前記支持部材で支持され、該立体型広告パネルは前記側面から外側へ展開した姿勢とされて設置されている、ことを特徴とする請求項２または３に記載の自動販売機。
【請求項１２】
前記広告提示部材は、商品の広告を提示しているシート部と該シート部の一端を支持する支持棒部とを含んで構成されたポスター型の広告媒体とされており、前記支持棒部の端部が前記支持部材で支持され、前記シート部は前記側面から外側へ展開した姿勢とされて設置されている、ことを特徴とする請求項２または３に記載の自動販売機。
【請求項１３】
前記装置本体は外形が直方体形状であって、両側にある側面の少なくとも一方に前記支持構造が設けてある、ことを特徴とする請求項１から１２のいずれに記載の自動販売機。
【発明の詳細な説明】
【技術分野】
【０００１】
本発明は、商品の購入が期待される者（ユーザ）に対して、訴求力の高い商品の広告や宣伝（以下、単に、広告という）を行えるように工夫した自動販売機に関する。
【背景技術】
【０００２】
ユーザに商品を訴求するため、自動販売機を用いて広告する技術が従来から種々提案されている。例えば、前扉下側の空きスペースにポスターなどを設置して商品を広告する自動販売機はよく知られている。
また、自動販売機本体の外側に設置する広告装置などについても、従来から色々の提案があった。例えば、特許文献１は、自動販売機の側面に取付ける広告用の電照広告パネルについて開示する。このような広告パネルを採用すれば、自動販売機の側面を利用して商品の広告を効果的に行える。これにより自動販売機に接近するユーザに強いインパクト、即ち訴求力がある広告を提示できる。そして、この特許文献１の広告パネルは、既存の自動販売機の側面に後付にて設置でき、取り外しが容易であるという優れた特徴も備えている。
【先行技術文献】
【特許文献】
【０００３】
【特許文献１】特開平７−２３０５７０号公報
【発明の概要】
【発明が解決しようとする課題】
【０００４】
しかしながら、前述した、特許文献１で開示する電照広告パネルは照明するためのバックライトなどの電源構成を含んだ電機装置であるため、広告パネルとしては高価であり広告のための費用が嵩むことになる。また、電照広告パネルは使用するために電源を確保する必要であり、そして当然ながら広告をするときには所定の電力を消費する。よって、自動販売機本体の電力費用に加えて、広告パネル用の電力費用が更に必要となる。
さらには、引用文献１の電照広告パネルは自動販売機側面に固定されるが、自動販売機に近づいて商品を購入しようとするユーザは、前面（自動販売機の正面）に立って自動販売機の操作をする。よって、ユーザが正面から自動販売機に近づくような設置環境であった場合、ユーザが側面の電照広告パネルに気付かない、注目しないことも想定されて、設置した電照広告パネルが有効に機能しない懸念がある。
【０００５】
よって、本発明の目的は、簡易な構成で、装置の側面を有効に活用して、訴求力の高い広告を行える自動販売機を提案することにある。
【課題を解決するための手段】
【０００６】
上記目的は、商品を収納している装置本体に、少なくとも側面が形成してある自動販売機であって、前記側面には、外付けされる商品広告用の広告提示部材を支持する支持構造が設けてあることを特徴とする自動販売機により達成される。
そして、前記支持構造は、前記側面上に前記装置本体の高さ方向に沿って設置されている長尺のベース部材と、該ベース部材に沿って移動可能であると共に、前記広告提示部材の端部と嵌合する支持部材とを含んで構成するのが好ましい。
更には、前記支持部材を、前記ベース部材の任意位置で止めるための位置決め手段が更に設けてあるが好ましい。
【０００７】
そして、前記広告提示部材は板状の広告パネルを含み、前記広告パネルの一端側が前記支持部材にて支持され、該広告パネルは前記側面から外側へ展開した姿勢とされて設置されている形態とするのが好ましい。
【０００８】
そして、前記広告パネルの１枚と嵌合する基本単位の前記支持部材と該支持部材を移動可能に支える基本単位の前記ベース部材とによる、前記支持構造の基本単位構成が、前記装置本体の厚み方向において複数に配置されると共に、前記広告パネルを複数有しており、
前記厚み方向で、前記広告パネルを多層状態として提示可能としてあるのが望ましい。
そして、前記基本単位の前記ベース部材を複数連ねて一体化してあると共に、前記ベース部材に応じて、前記基本単位の前記支持部材も複数連ねて一体化された構造を含む構造としてもよい。
更に、前記ベース部材の１つに、複数の前記支持部材がセットされており、前記支持部材が複数箇所で前記広告パネルを支持するように構成してあるのが好ましい。
【０００９】
そして、前記複数の広告パネルは、前記装置本体の厚み方向で手前側から奥側に向かうほど、面積が大きく形成してあるのが好ましい。
また、前記複数の広告パネルの内でその一部に、奥側に位置する広告パネルをユーザが視覚認識可能となるように切欠部が設けてある構造としてもよい。
また、前記複数の広告パネルは、正面視で互いに重ならないように位置をずらして配置してもよい。
【００１０】
更に、前記広告提示部材は、内部に空間を含んでトンネル形状とした立体型広告パネルを含み、前記立体型広告パネルの両脚部が前記支持部材で支持され、該立体型広告パネルは前記側面から外側へ展開した姿勢で設置されてもよい。
【００１１】
また、前記広告提示部材は、商品の広告を提示しているシート部と該シート部の一端を支持する支持棒部とを含んで構成されたポスター型の広告媒体とされており、前記支持棒部の端部が前記支持部材で支持され、前記シート部は前記側面から外側へ展開した姿勢で設置されてもよい。
【００１２】
更に、前記装置本体は外形が直方体形状であって、両側にある側面の少なくとも一方に前記支持構造が設けあってもよい。
【発明の効果】
【００１３】
本発明の自動販売機では、その側面に、外付けされる商品広告用の広告提示部材を支持するための支持構造が設けてある。ここで支持構造は、例えば自動販売機の装置本体側面に設置される長尺なベース部材と、このベース部材にスライド可能にセットされ板状である広告パネルの端部に嵌合して支持する支持部材とを含んで構成される、簡単な構造である。しかも、設置後に電源などを特に必要としない。よって、本発明の自動販売機によると、自動販売機側面に広告用の支持構造を設けるという簡単な改善で、低コストにて、ユーザに商品を効率良く訴求できる自動販売機を提供できる。ここで広告提示部材は、板状である広告パネルや立体型広告パネルなど種々形態の広告媒体を採用できるので、本発明の自動販売機によると色々な形態で商品の広告を行える。
【図面の簡単な説明】
【００１４】
【図１】本発明を適用した一実施形態となる自動販売機の外観を示した斜視図である。
【図２】図１で示す自動販売機に、広告パネルを配置した状態を示した図である。
【図３】ベース部材としてのレール、保持部材としてのスライド支持具、そして広告提示部材としての広告パネルに設けてある構造を説明するために示した図である。
【図４】図３に示した構造の変形例について示した図である。
【図５】図３に示した構造の他の変形例について示した図である。
【図６】自動販売機の側面に、支持構造の基本単位構成を複数、配置する様子を説明するために示した図である。
【図７】本発明を適用した第２の実施形態となる自動販売機の外観を示した斜視図である。
【図８】本発明を適用した第３の実施形態となる自動販売機の外観を示した斜視図である。
【発明を実施するための形態】
【００１５】
以下、図面を参照して、本発明の実施形態を説明する。
図１は、本発明を適用した第１の実施形態となる、たばこ自動販売機１０について示した図である。なお、自動販売機１０は、従来において一般的な自動販売機と同様の外形、すなわち装置本体の外形が直方体形状である。図１は、その右側の側面が確認し易いように示した斜視図である。
この自動販売機１０は従来の自動販売機と同様の基本構造を備えている。すなわち、自動販売機１０は、前面側が開放された空間内に商品（たばこ）を収納している装置本体１０ａと、その前面を閉じる前扉１０ｂとを含んで構成されている。そして、前扉１０ｂには前面パネル１１が設けてある。この前面パネル１１の内側には複数のシガレットの商品見本ＳＡを提示する展示部１２が設けてある。また、商品選択のための選択指示ボタン１３が、各商品見本ＳＡに応じた位置で前面パネル１１に設置してある。なお、前面パネル１１で左側に設定した空間１１ＳＰは、商品広告用に設けた広告スペースである。
【００１６】
この自動販売機１０も従来のたばこ自動販売機と同様、商品払出口１４および金銭処理部１５を備えている。前記金銭処理部１５は、コイン投入口、紙幣投入口、釣り銭返却レバー等を備えて構成してある。また、図中１６は釣り銭返却口であり、また１７は電子情報入出力装置（リーダ・ライタ）や金額表示器等を備えて構成された成人識別装置である。
【００１７】
そして、この自動販売機１０の装置本体１０ａの右側の側面１０ＳＲには、外付けされる商品広告用の広告提示部材の端部を支持する新規な支持構造２０が設けてある。この支持構造２０は、装置本体１０ａの側面１０ＳＲ上に高さ方向（図１で上下方向）ＨＤに沿って設置されるベース部材としてのレール２１、このレール２１に対しては移動可能であって、後述する広告提示部材の端部に嵌合して支持をする支持部材となるスライド支持具２５を含んで構成されている。
より具体的には、図１で示すように、支持構造２０のレール２１は所定以上の剛性を備えた長尺な部材で、側面１０ＳＲ上に設置される。このレール２１に対して、スライド支持具２５が上下移動可能にセットされている。そして、更にスライド支持具２５は、広告提示部材の一端部に嵌合して支持するための構造が設けてある。
ここで、広告提示部材は、例えば板状の広告パネルであり、この広告パネルの１枚と嵌合する基本単位のスライド支持具（支持部材）２５と、このスライド支持具２５を移動可能に支える基本単位のレール（ベース部材）２１とによるものが、上記支持構造２０を構成する基本単位構成とみることができる。
【００１８】
図１で例示している支持構造２０の形態は、後述する広告提示部材を多層（ここでは、３層）配置できるように設計したもので、上記基本単位構成を装置本体１０ａの厚み方向において複数配置した多層型の支持構造の例示である。よって、この支持構造２０は本体の厚み方向（奥行方向）ＤＤに向かって、並列配置された３個分を連ねて一体化したレール２１を含んでいる。そして、スライド支持具２５も、レール２１に応じて連ねて一体化されている。この一体化されたスライド支持具２５が３個（２５−１、２５−２、２５−３）、レール２１にそれぞれスライド可能にしてセットしてある。
【００１９】
また、ここで例示しているレール２１では、高さ方向ＨＤに沿って延在するようにスリット（長溝）２２が設けてある。このスリット２２は、スライド支持具２５の案内溝として活用したり、広告提示部材の端部を収納する空間として活用したりすることができる。ただし、スリット（長溝）２２を設けた構造は、レール２１に必須な構成ではない。この点については、後に図を参照して説明する。
【００２０】
なお、図１では、３個のスライド支持具２５−１、２５−２、２５−３を下側にまとめて配置した状態を示している。この状態は後述する広告提示部材をセットする前の待機状態と見ることができる。この後に説明する図２で、スライド支持具２５−１、２５−２、２５−３の使用状態が示される。また、各スライド支持具２５−１、２５−２、２５−３は広告提示部材の一部側が嵌合される構造が形成してある。このような嵌合構造についても、後に図を参照して説明することとする。
【００２１】
ところで、前述したレール２１については、装置本体の側面１０ＳＲに対して着脱自在であれば、他の自動販売機の側面にも採用できるので好ましい。例えば、装置本体の側面１０ＳＲが鉄製等であり磁石を用いて磁力で固定が可能であるときに、レール２１の設置面に磁石を配置して側面１０ＳＲに着脱自在にできる。また、装置本体の側面１０ＳＲにネジ穴を設けて、レール２１をネジで固定するようにして着脱自在としてもよい。
【００２２】
そして、前述した広告提示部材としては、上記スライド支持具２５によって支持が可能な商品広告用の広告媒体であれが適宜に採用してよい。図２は、広告提示部材の１つとして板状の広告パネル３０を採用し、その一端を上記スライド支持具２５に嵌合させて支持した場合（３個のスライド支持具２５−１、２５−２、２５−３の使用状態）を例示している。
図２に示している状態は、図1に示したライド支持具２５−１、２５−２、２５−３
の状態から、これらをスライドさせることで形成できる。すなわち、図１に示している下側にまとめてある状態のときに、スライド支持具２５−１、２５−２、２５−３に設けてある嵌合部分に３枚の広告パネル３０Ａ、３０Ｂ、３０Ｃを差込む。その後、スライド支持具２５−３を最上部へ、そしてスライド支持具２５−２を中間部へスライドさせることで、図２に示す状態を形成できる。このようにすれば、自動販売機の高さと同等の高さ（長さ）の広告パネルであっても、作業者が比較的簡単に広告パネルを設置できる。
【００２３】
前述したように、図２では、３枚の広告パネル３０Ａ、３０Ｂ、３０Ｃが、スライド支持具２５にそれぞれ嵌合され、多層（積層）状態に配置した場合の好適例である。
この図２で示すように多層とする場合、自動販売機に近づくユーザにより広告パネル３０が確実に認識されるように工夫することが好ましい。よって、各広告パネル３０Ａ、３０Ｂ、３０Ｃは側面から外側へ展開した姿勢（本を開いた様な姿勢）で設置するのが好ましい。ただし、各広告パネル３０Ａ、３０Ｂ、３０Ｃは前記装置本体の厚み方向ＤＤで重なるので、奥側（後側）に位置する広告パネルは重なる部分が見え難くなる。そこで、図２で示すように、広告パネル３０Ａ、３０Ｂ、３０Ｃは、手前側から奥側に向かうほど、面積が大きく（図示の場合、後ろ側が前より外側に張り出すように）形成するのが望ましい。
また、奥側の広告パネルを示すための形態は、奥側を大きくする形態に限る必要はない。好適例として、中央の広告パネル３０Ｂには切欠き部３２が設けてある。このような切欠部３２を設けて奥側の広告パネル３０Ｃが確認できるようにしてもよい。
【００２４】
また、ここでは更に図示はしないが、前記複数の広告パネルは、正面視で互いに重ならないように位置をずらして配置してもよい。例えば、図２で示している広告パネル３０Ａ、３０Ｂ、３０Ｃについて、広告パネル３０Ａは上段位置、広告パネル３０Ｂは中段位置、そして広告パネル３０Ｃは下段位置というように、上下にて位置をずらして配置してもよい。この場合は奥側の広告パネルを大きく形成する必要や、切欠き部を設ける必要はない。
また、上記広告パネル３０の材料については、特に限定する必要はない。例えば、基材を厚紙等として、これに印刷など広告を形成すれば、軽量かつ低コストで広告パネルを作成できる。また、基材としてアルミ板などを採用すれば、軽量で耐久性があり、長期に使用できる広告パネルにできる。更には、透明性のある樹脂材を用いて広告パネルを形成し、後ろ側に位置する広告パネルを視認できるようにして、前述した多層としたパネル配置で美的な演出をするようにしてもよい。
【００２５】
さて、図１、２に基づく上記の説明では、レール２１、スライド支持具２５及び広告パネル３０に設けた移動構造や嵌合構造については、その具体的な説明を省略していた。ここで、更に他の図を参照して、この点について説明する。
図３は、前述したレール２１、スライド支持具２５及び広告パネル３０に設けてある構造を説明するために示した図である。ただし、図１、図２で示したレール２１、スライド支持具２５は多層型として、複数を連ねた形態であったが、図３ではお互いの構造や接続関係が理解し易いように基本単位の構成で示し、１つ分のレール２１、スライド支持具２５、そして１枚の広告パネル３０を示している。
このレール２１には、案内用のスリット２２が設けてある。一方、スライド支持具２５はレール２１と接触する側にスリット２２と嵌合する凸部２６が形成してある。ここで例示しているスリット２２と凸部２６とは互いに嵌合するように横断面が略Ｔ字形状に形成してある。これにより、スライド支持具２５は長尺のレール２１に沿ってスライド移動が可能となる。
【００２６】
更に、スライド支持具２５には、上記凸部２６とは反対側に高さ方向に沿って凹状の受け部２７が形成してある。この受け部２７は広告パネル３０の一側端に設けた嵌合用端部３１と嵌合するように形成してある。ここで例示している受け部２７と嵌合用端部３１とは互いに嵌合するように横断面が略Ｔ字形状に形成してある。ただし、受け部２７と嵌合用端部３１とはお互いに嵌合する構造であればよく、横断面の形状は特に限定はない。また、ここでは、広告パネル３０の端部側に、凹状に設けた受け部２７に嵌合する凸部として嵌合用端部３１を設けているが、これとは逆に広告パネル３０の端部側を受け構造（凹部）としてもよい。
【００２７】
ところで、図３で例示している構造では、レール２１に対してスライド支持具２５がスライドしつつ、広告パネル３０にも嵌合して、この広告パネル３０を支持するように形成してある。但し、図１、図２で例示した形態で採用する場合、最も下に位置するスライド支持具２５−１については、下端固定としてもよい。この場合はスライド支持具２５−１の受け部２７の下端部（図３の矢印２７ｂを参照）に閉鎖壁を設けて、広告パネル３０の嵌合用端部３１の下端部を下から支持するようにしてもよい。
上記に対して、上側に配置される２つのスライド支持具２５−２、スライド支持具２５−３は、レール２１に沿って移動されて、所望位置に止められる。よって、スライド支持具２５−２、スライド支持具２５−３をレール２１の任意位置で止めるための位置決め手段が設けてある。図３では、スライド支持具２５の側面２５ａに貫通しているネジ孔２８が設けてある。このネジ孔２８にネジ２９を捩じ込むことで、レール２１に対してスライド支持具２５が位置決めされる。ただし、位置決め手段として、ネジを用いているのは単なる例示である。公知の位置決め手段を適宜に選択して、採用してよいことは勿論である。
また、スライド支持具２５−２、スライド支持具２５−３の受け部２７内に、広告パネル３０の嵌合用端部３１がガタつきの無い程度に嵌合されていればよい。ここでは更に図示はしないが、必要によりネジ等を用いて、スライド支持具２５−２、スライド支持具２５−３に嵌合用端部３１を固定してもよい。
【００２８】
図４は、図３で説明した構造の変形例である。図３に示す例では、レール２１上にセットされるスライド支持具２５の外側に形成した受け部２７に、広告パネル３０の嵌合用端部３１が嵌合していた。図４で示して変形例では凸部２６の内側に、受け部２７を作り込んである。この変形例によると、スライド支持具２５の表面に突出する部分を減らすことができる。そして、広告パネル３０の嵌合用端部３１の全体を、レール２１の内部空間に収納する形態とすることができる。
【００２９】
図５は、図３で説明した構造の他の変形例である。前述したように、レール２１にスリット２２を設けることは必須ではない。図５で示す構造では、スライド支持具２５の両端脚部の内側面に係合突起２５ＰＲ、２５ＰＲを設けある。そして、この係合突起２５ＰＲに対応する溝状の凹部２１ＧＵ、２１ＧＵをレール２１の側面に形成してある。この場合、スライド支持具２５がレール２１の外側から挟み込む（包み込む）形態となり、前述したのと同様のスライド構造を実現できる。
本発明に係る自動販売機の側面に設定される支持構造は、種々の形状のレール（ベース部材）およびスライド支持具（支持部材）の組合によって実現可能であることが、図３〜図５から理解できる。
【００３０】
図６は、自動販売機の側面に、支持構造の基本単位構成を複数、配置する様子を説明するために示した図である。図６は、レール２１とスライド支持具２５とを、自動販売機１０の側面１０ＳＲに設置する様子を模式的に示している。この図６で示すように、基本単位構成（広告パネルの１枚と嵌合する基本単位のスライド支持具（保持部材）、これを移動可能に支える基本単位となる１本のレール（ベース部材）とによる構成）を側面１０ＳＲに任意の複数（ここでは、３個）設置することで、積層状態の広告が行える構造を実現している。
なお、先に図１、２で示している形態は、基本単位を複数、連ねて一体に形成したものであった。これに対して、図６は、基本単位のレール２１を互いに間隔を取って配した場合である。図１、２で例示した形態は、３本分のレールが連ねてられて一体化しており、スライド支持具２５についてもレール形態に応じて３個を一体化した構成にしてあるので、省コストや省スペースなどの観点で優れている。一方、図６で示す形態は、各レール２１の配置に自由度があって、互いの間隔を任意に変更できる。そして、各レール２１にセットされるスライド支持具２５についても個別に配置され、図６で示す様にそれぞれを独立して移動できる。よって、図６で示す形態では、厚みや大きさが異なるような色々な広告パネルに対処が可能である。
【００３１】
以上で説明した自動販売機１０は、側面１０ＳＲに外付けされる商品広告用の広告パネル３０を支持する支持構造２０を有しているので、広告パネルを自動販売機側面１０ＳＲから外側へ展開した姿勢（図２参照）として、自動販売機に接近するユーザに強いインパクトを持って商品を訴求できる。そして、好適な形態として、複数の広告パネル３０を多層に配置することで、奥行きのある立体的な広告を実施して、ユーザに商品を強く印象付けることができる自動販売機となる。
この自動販売機１０による広告は、自動販売機の側面を有効活用するもので、設置する支持構造２０や広告パネル３０は、先に指摘した電照広告パネルを採用する場合と比較して、簡易、低コストで作製できる。また、前述したように支持構造２０のレール（ベース部材）２１を着脱自在としておけば、他の自動販売機と共用使用できるので経済的でもある。
【００３２】
図７は、本発明を適用した第２の実施形態となる、たばこ自動販売機について示した図である。なお、この図７の自動販売機は、自動販売機本体装置に設けてある支持構造２０は図１、図２に示したものと同じであって、この支持構造で支持する広告提示部材が異なっている場合の例である。よって、図７で示す第２の実施形態に係る自動販売機では、図１と同じ部位には同じ符号を付して重複する説明を省略し、異なる部分を中心に説明する。
図７では、広告提示部材が立体型広告パネル４０となっている。この立体型広告パネル４０は横断面（自動販売機の上方から見た断面）がコ字状或いはＵ字形状であって、内部に空間を含んでトンネル形状とした立体型広告パネルである。この立体型広告パネル４０の両脚部（側端部）４１は前述したと同様に各スライド支持具２５−１〜２５−３の受け部２７で支持されている（図７では、手前片側の脚部４１を示す）。そして、この立体型広告パネル４０は装置本体の側面１０ＳＲから外側へ展開した姿勢とされて設置されている。このような立体型の広告パネル４０を広告提示部材として採用すれば、その外周全体を使って商品を広告できる。よって、自動販売機を設置する環境として、自動販売機の側部や背部に空間があり、ユーザが色々な方向から自動販売機へアクセス可能な場合、３６０度の全方位に向けて商品広告を行える点で好ましい。
【００３３】
そして、この立体型広告パネル４０では、必要に応じて内部空間にＬＥＤ光源を更に配置してもよい。この場合、自動販売機本体に設置してある商品販売の制御用コントローラを流用して、上記光源を駆動制御すればよい。このようなコントローラは、ＣＰＵを中心に構成したマイクロコンピュータ等である。コントローラはＣＰＵなどと共に、メモリを備えている。このメモリに光源を制御するためのプログラムを格納しておき、例えば夜間等にあって、より訴求力のある広告を提示するように発光状態を調整してもよい。
【００３４】
更に、図８は、本発明を適用した第３の実施形態となる、たばこ自動販売機について示した図である。図８の自動販売機も、自動販売機本体装置に設けてある支持構造は図１、図２に示したものと同じであって、この支持構造で支持する広告提示部材が異なっている場合の例である。よって、第３の実施形態に係る自動販売機も、先の第２の実施形態の場合と同様、重複する説明を省略し、異なる部分を中心に説明する。
図８では、広告提示部材が商品の広告を提示しているシート部５２と、このシート部５２の一端を支持する支持棒部５１とを含んで構成したポスター型の広告媒体５０として形成してある。
広告媒体５０は、支持棒部５１の端部がスライド支持具２５で支持される。これにより、支持棒部５１で支持されたシート部５２は、側面１０ＳＲから外側へ展開した姿勢とされて設置される。このような広告媒体５０を広告提示部材として採用すれば、支持棒部５１で支えたシート部５２が例えば風を受けたときに旗のように動くので、ユーザの喚起を促して、商品を訴求できる。
なお、図８ではシート部５２の上下端を支持棒部５１で支持しているが上側だけとしてもよい。また、図８では一枚の大き目のシート部５２で広告する場合を例示するが、互いに重ならないように複数枚のシート部５２を配置してもよい。
【００３５】
以上で説明した本発明の自動販売機によれば、外付けされる商品広告用の広告提示部材の端部を支持する支持構造を有している、この支持構造に適宜の広告提示部材を支持して簡易、低コストで商品の宣伝、広告を行える。
【００３６】
なお、上記実施例では、自動販売機１０の装置本体１０ａの右側の側面１０ＳＲに広告提示部材を支持する支持構造を設ける例を示したが、勿論、左側の側面としてもよく、左右両側の側面としてもよい。左右両側に前述した多層の広告パネルなどを設ければ、ユーザに対して更に強く、商品を訴求できる自動販売機となる。
また、前述したように多層の形態として広告を行うのが好適ではあるが、１枚の広告パネル３０を支持するライド支持具２５と、これを移動可能に支持するレール２１による基本単位の支持構造を採用して、シンプルに商品広告を行ってもよい。
以上、本発明をたばこの自動販売機について適用する場合を詳細に説明したが、本発明は前述した実施例による説明で限定されない。すなわち、本発明はその要旨を逸脱しない範囲で種々変更して実施することができる。本発明が飲料やその他の商品を販売する自動販売機に適用できることは言うまでもない。
【符号の説明】
【００３７】
１０                    自動販売機
１０ａ                  装置本体
１０ｂ                  前扉
１０ＳＲ                側面
１１                    前面パネル
２０                    支持構造
２１                    レール（ベース部材）
２２                    スリット
２５                    スライド支持具（支持部材）
２６                    凸部
２７                    受け部
２８                    孔（位置決め手段）
２９                    ネジ（位置決め手段）
３０                    広告パネル（広告提示部材）
３１                    嵌合用端部
３２                    切欠部
４０                    立体型広告パネル（広告提示部材）
５０                    ポスター型の広告媒体（広告提示部材）
５１                    支持棒部
５２                    シート部
ＳＡ                    商品見本
ＨＤ                    高さ方向
ＤＤ                    厚み方向
【図１】
2014021699.tif 000003
【図２】
2014021699.tif 000004
【図３】
2014021699.tif 000005
【図４】
2014021699.tif 000006
【図５】
2014021699.tif 000007
【図６】
2014021699.tif 000008
【図７】
2014021699.tif 000009
【図８】
2014021699.tif 000010